(57)【要約】【課題】車体フレームの外側面を有効に活用して、滑り止めプレートを確実に配置する。【解決手段】ブラケット２０のブラケット取付下部２３は、サイドメンバ４の外側面に面接触して固定される。ブラケット取付上部２４は、ブラケット取付下部２３から車幅方向外側上方へＬ状に曲折して上方へ延び、滑り止めプレート４０のプレート下部４２が挿入されるプレート挿入空間２６を、サイドメンバ４の外側面との間に区画形成する。プレート挿入空間２６に挿入されたプレート下部４２は、サイドメンバ４及びブラケット取付上部２４と車幅方向に重なり、サイドメンバ４とプレート下部４２とブラケット取付上部２４とを挿通する上ボルト３４によって車幅方向から締結されてサイドメンバ４に固定される。滑り止めプレート４０のプレート上部４１は、プレート下部４２が上ボルト３４によってサイドメンバ４に固定された状態で、荷台２に固定可能である。【選択図】図２
2016188055.tif 000002
【特許請求の範囲】
【請求項１】
車体フレームに架装物が載置される車両の前記架装物の下方の前記車体フレームに車載部品を取付けるための車載部品取付ブラケットであって、
前記車体フレームの外側面に面接触して固定されるブラケット取付下部と、前記ブラケット取付下部から車幅方向外側上方へＬ状に曲折して上方へ延びるブラケット取付上部とを一体的に備えるジョグル構造を有し、
前記ブラケット取付上部は、前記ブラケット取付下部が前記車体フレームの外側面に固定された状態で、プレート上部とプレート下部とを一体的に有する滑り止めプレートの前記プレート下部が挿入されるプレート挿入空間を、前記車体フレームの外側面との間に区画形成し、
前記プレート挿入空間に挿入された前記プレート下部は、前記車体フレーム及び前記ブラケット取付上部と車幅方向に重なり、前記車体フレームと前記プレート下部と前記ブラケット取付上部とを挿通する共締めボルトによって車幅方向から締結されて前記車体フレームに固定され、
前記プレート上部は、前記プレート下部が前記共締めボルトによって前記車体フレームに固定された状態で、前記架装物に固定可能である
ことを特徴とする車載部品取付ブラケット。
【発明の詳細な説明】
【技術分野】
【０００１】
本発明は、架装物の下方の車体フレームに車載部品を取付けるための車載部品取付ブラケットに関する。
【背景技術】
【０００２】
特許文献１には、燃料タンクをフレームに取り付けるためのステイが記載されている。ステイは、断面がハット形でＬ状に折り曲げられ、その垂直面がフレームにボルト又はリベットで固着される。
【先行技術文献】
【特許文献】
【０００３】
【特許文献１】特開平１０−２７２９４０号公報
【発明の概要】
【発明が解決しようとする課題】
【０００４】
車体フレームの上面に架装物（例えば荷台等）を搭載する車両では、滑り止めプレートの上部と下部とを架装物の外側面と車体フレームの外側面とにそれぞれ固定することにより、車体フレームに対する架装物の移動を防止する場合がある。
【０００５】
しかし、車体フレームには特許文献１のようなステイを含む多数の部品が取付けられるため、車体フレームの外側面に滑り止めプレートの下部を固定するための領域を確保できず、滑り止めプレートを配置することができない可能性がある。
【０００６】
そこで、本発明は、車体フレームの外側面を有効に活用して、滑り止めプレートを確実に配置することが可能な車載部品取付ブラケットの提供を目的とする。
【課題を解決するための手段】
【０００７】
上記目的を達成すべく、本発明は、車体フレームに架装物が載置される車両の架装物の下方の車体フレームに車載部品を取付けるための車載部品取付ブラケットであって、ブラケット取付下部とブラケット取付上部とを一体的に備えるジョグル構造を有する。
【０００８】
ブラケット取付下部は、車体フレームの外側面に面接触して固定される。ブラケット取付上部は、ブラケット取付下部から車幅方向外側上方へＬ状に曲折して上方へ延びる。ブラケット取付上部は、ブラケット取付下部が車体フレームの外側面に固定された状態で、プレート上部とプレート下部とを一体的に有する滑り止めプレートのプレート下部が挿入されるプレート挿入空間を、車体フレームの外側面との間に区画形成する。
【０００９】
プレート挿入空間に挿入されたプレート下部は、車体フレーム及びブラケット取付上部と車幅方向に重なり、車体フレームとプレート下部とブラケット取付上部とを挿通する共締めボルトによって車幅方向から締結されて車体フレームに固定される。プレート上部は、プレート下部が共締めボルトによって車体フレームに固定された状態で、架装物に固定可能である。
【００１０】
上記構成では、滑り止めプレートのプレート下部は、車体フレームの外側面とブラケット取付上部との間で車幅方向に相互に重なり、共締めボルトによってブラケット取付上部とともに車体フレームに固定される。すなわち、車載部品取付ブラケットと滑り止めプレートとは、車幅方向に重なった状態で車体フレームの外側面に取付けられる。従って、車体フレームの外側面に滑り止めプレートを取り付けるための専用の領域を確保する必要がなく、車体フレームの外側面を有効に活用して、滑り止めプレートを確実に配置することができる。
【発明の効果】
【００１１】
本発明によれば、車体フレームの外側面を有効に活用して、滑り止めプレートを確実に配置することができる。
【図面の簡単な説明】
【００１２】
【図１】本発明の一実施形態に係るタンクブラケットの斜視図である。
【図２】図１のII−II矢視断面図である。
【発明を実施するための形態】
【００１３】
以下、本発明の一実施形態に係るタンクブラケットについて、図面を参照して説明する。なお、以下の説明において、前後方向とは車両の進行方向の前後方向であり、左右方向とは車両前方を向いた状態での左右方向である。また、図中矢印ＦＲは車両前方を、矢印ＩＮは車幅方向内側を、矢印ＵＰは車両上方をそれぞれ示す。また、図１及び図２では、車両の左側のみを図示し、右側の図示を省略している。
【００１４】
図１に示すように、本実施形態の車両１は、キャブ（図示省略）の後方に荷台（架装物）２が装備されるトラックであり、車体フレーム３は、車幅方向両側で前後方向に延びる左右のサイドメンバ４と、車幅方向に延びて左右のサイドメンバ４を連結するクロスメンバ（図示省略）とを備える。サイドメンバ４は、車幅方向内側に開口するＵ状断面であり、前後方向に沿って起立する縦壁部５と、縦壁部５の上端縁から車幅方向内側に曲折する上壁部６と、縦壁部５の下端縁から車幅方向内側に曲折して上壁部６と対向する下壁部７とを一体的に有する。
【００１５】
荷台２は、荷室の底面を区画する底板８（図２参照）と、底板８の下面の車幅方向両端縁部に固定されて前後方向に延びる左右1対の縦根太９とを有する。縦根太９は、車幅方向内側に開口するＵ状断面であり、前後方向に沿って起立する縦板部１０と、縦板部１０の上端縁から車幅方向内側に曲折する上板部１１と、縦板部１０の下端縁から車幅方向内側に曲折して上板部１１と対向する下板部１２とを一体的に有する。左右の縦根太９の下板部１２を左右のサイドメンバ４の上壁部６に上方から載置することによって、荷台２が車体フレーム３に搭載される。車体フレーム３に荷台２を載置した状態で、縦根太９の縦板部１０の外側面は、サイドメンバ４の縦壁部５の外側面と略同一面上に配置される。なお、縦根太９は、Ｕ状断面以外の形状（例えば閉断面を形成する矩形筒形状など）であってもよい。
【００１６】
荷台２の下方の車幅方向外側（左側）の前後方向の所定位置には、燃料タンク（車載部品）３０が配置される。燃料タンク３０は、左側のサイドメンバ４の全域のうち縦根太９が載置される領域に、前後のブラケット（車載部品取付ブラケット）２０によって取付けられる。
【００１７】
各ブラケット２０は、ハット状断面の金属製長尺板材をＬ状に曲折した部材であり、直線状に延びるブラケット取付部２１と、ブラケット取付部の下端から略直角に曲折して直線状に延びるタンク支持部２２とを一体的に有する。なお、ブラケット２０の断面形状は任意であり、他の断面形状（例えば平板状など）であってもよい。
【００１８】
ブラケット取付部２１は、上下方向に起立した姿勢でサイドメンバ４の縦壁部５の外側面に結合される。ブラケット取付部２１が縦壁部４に結合されることにより、ブラケット２０がサイドメンバ４に固定される。係るブラケット取付状態で、タンク支持部２２はサイドメンバ４から車幅方向外側に延びる。燃料タンク３０は、前後のタンク支持部２２に載置され、前後のバンド３１によってブラケット２０に固定される。
【００１９】
図１及び図２に示すように、ブラケット取付部２１は、サイドメンバ４の縦壁部５の外側面に面接触して固定されるブラケット取付下部２３と、ブラケット取付下部２３の上端から車幅方向外側上方へＬ状に曲折して上方へ延びるブラケット取付上部２４とを一体的に備えるジョグル構造を有する。
【００２０】
ブラケット取付下部２３及び縦壁部５には、車幅方向に貫通する前後２箇所の下ボルト挿通孔２５が形成され、各下ボルト挿通孔２５に下ボルト３２を挿通し下ナット３３を羅合して締付けることによって、ブラケット取付下部２３が車幅方向から締結されて縦壁部５に固定される。
【００２１】
ブラケット取付下部２３が縦板部５の外側面に固定された状態で、ブラケット取付上部２４は、縦壁部５の外側面に車幅方向外側から対向し、縦壁部５の外側面との間にプレート挿入空間２６を区画形成する。
【００２２】
サイドメンバ４と荷台２との間には、サイドメンバ４に対する荷台２の前後及び左右の移動を阻止するために両者を結合する滑り止めプレート４０が、前後のブラケット２０に対応して設けられる。
【００２３】
各滑り止めプレート４０は、プレート上部４１とプレート下部４２とを一体的に有する矩形平板状の金属板である。プレート上部４１は、縦根太９の縦板部１０の外側面に面接触した状態で溶着によって固定され、プレート上部４１が縦根太９に固定された状態で、プレート下部４２は縦根太９から下方へ突出する。プレート挿入空間２６の車幅方向の幅は、プレート下部４２の板厚と等しく又は僅かに大きく設定され、プレート下部４２は、プレート挿入空間２６に挿入される。なお、プレート上部４１を溶着以外の方法（例えば、ボルトによる締結など）によって縦板部１０に固定してもよい。
【００２４】
プレート挿入空間２６に挿入されたプレート下部４２は、サイドメンバ４の縦壁部５及びブラケット２０のブラケット取付上部２４と車幅方向に相互に重なる。縦板部５とプレート下部４２とブラケット取付上部２４とには、車幅方向に挿通する前後２箇所の上ボルト挿通孔２７が形成され、各上ボルト挿通孔２７に上ボルト（共締めボルト）３４を挿通し上ナット３５を羅合して締付けることによって、ブラケット取付上部２４及びプレート下部４２が車幅方向から締結されて縦壁部５に固定される。
【００２５】
プレート上部４１を縦根太９に固定した後に、プレート下部４２をプレート挿入空間２６に挿入してサイドメンバ４に固定した場合には、プレート下部４２の固定（上ボルト３４の締結）によって縦根太９とサイドメンバ４とが結合される。反対に、プレート上部４１を縦根太９に固定する前に、プレート下部４２をプレート挿入空間２６に挿入してサイドメンバ４に固定した場合には、プレート上部４１がサイドメンバ４から上方へ突出し、サイドメンバ４に載置された縦根太９の縦板部１０の外側面がプレート上部４１の内側面に車幅方向内側から対向して重なり、プレート上部４１が縦板部１０の外側面に固定可能な状態となる。係る状態で、プレート上部４１を縦板部１０に固定することによって、縦根太９とサイドメンバ４とが結合される。
【００２６】
本実施形態によれば、滑り止めプレート４０のプレート下部４２は、サイドメンバ４の外側面とブラケット２０のブラケット取付上部２４との間で車幅方向に相互に重なり、上ボルト３４によってブラケット取付上部２４とともにサイドメンバ４に固定される。すなわち、ブラケット２０と滑り止めプレート４０とは、車幅方向に重なった状態でサイドメンバ４の外側面に取付けられる。従って、サイドメンバ４の外側面に滑り止めプレート４０を取り付けるための専用の領域を確保する必要がなく、サイドメンバ４の外側面を有効に活用して、滑り止めプレート４０を確実に配置することができる。
【００２７】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【００２８】
例えば、本実施形態では、前後のブラケット２０に対応して前後の滑り止めプレート４０を設けたが、前後の一方のブラケットに対応した滑り止めプレートを設け、他方のブラケットに対応した滑り止めプレートを省略し、他方のブラケットを、ジョグル構造を有さない（プレート挿入空間２６を形成しない）形状としてもよい。
【００２９】
また、本実施形態では、車体フレーム３に荷台２を載置した状態で縦根太９の縦板部１０の外側面とサイドメンバ４の縦壁部５の外側面とが略同一面上に配置される構造について説明したが、縦根太９の縦板部１０の外側面とサイドメンバ４の縦壁部５の外側面とが車幅方向にずれて配置される構造（縦根太９の外側面がサイドメンバ４の外側面よりも車幅方向外側に突出する構造や車幅方向内側に凹む構造）であってもよい。この場合、縦板部１０の外側面と縦壁部５の外側面との間に段差が生じるため、平板状の滑り止めプレート４０に代えて、プレート上部とプレート下部との間が上記段差に合わせて曲折する滑り止めプレートを用いればよい。
【００３０】
また、車体フレーム３に載置する架装物は荷台２に限定されず、ダンプやミキサやタンクローリなどの特装車の架装物であってもよい。
【００３１】
また、ブラケット２０が支持する車載部品は燃料タンク３０に限定されず、エアタンクや還元剤タンクなどの他の車載部品であってもよい。
【産業上の利用可能性】
【００３２】
本発明は、架装物が装備される車両に広く適用することができる。
【符号の説明】
【００３３】
１  車両
２  荷台（架装物）
３  車体フレーム
４  サイドメンバ
５  サイドメンバの縦壁部
９  縦根太
１０  縦根太の縦板部
２０  ブラケット（車載部品取付ブラケット）
２３  ブラケット取付下部
２４  ブラケット取付上部
２６  プレート挿入空間
３４  上ボルト（共締めボルト）
４０  滑り止めプレート
４１  プレート上部
４２  プレート下部
【図１】
2016188055.tif 000003
【図２】
2016188055.tif 000004